(57)【要約】【課題】ホストの情報を取得し、ホストの判別を行うことにより、ファームウェアの各機能の動作の可否決定を処理する光ディスク装置及び接続機器判別方法を提供する。【解決手段】インターフェースを介してホスト機器に接続され、ディスクに情報を記録再生する光ディスク装置において、特定のホスト機器７から、この特定のホスト機器７を示す信号を受信する受信手段２２と、この受信手段２２によって受信された前記信号に基づいて、接続された前記ホスト機器が前記特定のホスト機器７であると認識する認識手段３９と、この認識手段３９によって前記特定のホスト機器７であると認識された場合、この特定のホスト機器７のみに対応するリード処理を実行可能とする制御手段３９とを具備することを特徴とする。【選択図】　　　図６
2004133977.tif 000002
【特許請求の範囲】
【請求項１】
インターフェースを介してホスト機器に接続され、ディスクに情報を記録再生する光ディスク装置において、
特定のホスト機器から、この特定のホスト機器を示す信号を受信する受信手段と、
この受信手段によって受信された前記信号に基づいて、接続された前記ホスト機器が前記特定のホスト機器であると認識する認識手段と、
この認識手段によって前記特定のホスト機器であると認識された場合、この特定のホスト機器のみに対応するリード処理を実行可能とする制御手段とを具備することを特徴とする光ディスク装置。
【請求項２】
前記受信手段は、前記特定のホスト機器以外のホスト機器からは前記信号を受信しないことを特徴とする請求項１記載の光ディスク装置。
【請求項３】
前記認識手段は、受信された前記信号に基づいて、接続された前記ホスト機器がオーディオ再生機器であることを認識することを特徴とする請求項１記載の光ディスク装置。
【請求項４】
前記制御手段は、前記ディスクがリッピング対策用ディスクであるかを判別し、リッピング対策用ディスクであると判別した場合、リッピング対策用ディスクでもリード処理できるよう制御することを特徴とする請求項１記載の光ディスク装置。
【請求項５】
インターフェースを介してオーディオ機器に接続され、デジタルオーディオデータをディスクに記録または前記ディスクに記録された前記デジタルオーディオデータを再生する光ディスク装置において、
前記オーディオ機器から、このオーディオ機器であることを示す信号を受信する受信手段と、
この受信手段によって受信された前記信号に基づいて、前記オーディオ機器と接続していることを認識する認識手段と、
前記ディスクがリッピング対策用のディスクであるか否かを判別する判別手段と、
前記認識手段によって前記オーディオ機器であると認識され、且つ、前記判別手段によって前記ディスクがリッピング対策用のディスクであると判別した場合、オーディオ機器に対してリード処理を可能とする制御手段とを具備することを特徴とする光ディスク装置。
【請求項６】
インターフェースを介してホスト機器に接続され、ディスクに情報を記録再生する光ディスク装置の接続機器判別方法において、
特定のホスト機器から、この特定のホスト機器を示す信号を受信する工程と、
受信された前記信号に基づいて、接続された前記ホスト機器が前記特定のホスト機器であると認識する工程と、
前記特定のホスト機器であると認識された場合、この特定のホスト機器のみに対応するリード処理できるよう制御する工程とを具備することを特徴とする接続機器判別方法。
【請求項７】
前記受信する工程は、前記特定のホスト機器以外のホスト機器からは前記信号を受信しないことを特徴とする請求項６記載の接続機器判別方法。
【請求項８】
前記認識する工程は、受信された前記信号に基づいて、接続された前記ホスト機器がオーディオ再生機器であることを認識することを特徴とする請求項６記載の接続機器判別方法。
【請求項９】
前記制御する工程は、前記ディスクがリッピング対策用ディスクであるかを判別し、リッピング対策用ディスクであると判別した場合、リッピング対策用ディスクでもリード処理できるよう制御することを特徴とする請求項６記載の接続機器判別方法。
【請求項１０】
インターフェースを介してオーディオ機器に接続され、デジタルオーディオデータをディスクに記録または前記ディスクに記録された前記デジタルオーディオデータを再生する光ディスク装置の接続機器判別方法において、
前記オーディオ機器から、このオーディオ機器であることを示す信号を受信する工程と、
受信された前記信号に基づいて、前記オーディオ機器と接続していることを認識する工程と、
前記ディスクがリッピング対策用のディスクであるか否かを判別する工程と、
前記認識する工程によって前記オーディオ機器であると認識され、且つ、前記判別する工程によって前記ディスクがリッピング対策用のディスクであると判別した場合、オーディオ機器に対してリード処理できるよう制御する工程とを具備することを特徴とする光ディスク装置。
【発明の詳細な説明】
【０００１】
【発明の属する技術分野】
この発明は、ＣＤ（Ｃｏｍｐａｃｔ　Ｄｉｓｃ）、ＣＤ（Ｃｏｍｐａｃｔ　Ｄｉｓｃ）−Ｒ（Ｒｅｃｏｒｄａｂｌｅ）／ＲＷ（ＲｅＷｒｉｔａｂｌｅ）、ＤＶＤ（Ｄｉｇｉｔａｌ　Ｖｅｒｓａｔｉｌｅ　Ｄｉｓｃ）−ＲＯＭ（Ｒｅａｄ　Ｏｎｌｙ　Ｍｅｍｏｒｙ）、ＤＶＤ（Ｄｉｇｉｔａｌ　Ｖｅｒｓａｔｉｌｅ　Ｄｉｓｃ）−ＲＡＭ（Ｒａｎｄｏｍ　Ａｃｃｅｓｓ　Ｍｅｍｏｒｙ）等の光ディスクに対して、情報を記録又は再生するための光ディスク装置に関し、特に、光ディスク装置と接続されるホストコンピュータやオーディオ再生機器等の接続機器を判別する光ディスク装置及び接続機器判別方法に関する。
【０００２】
【従来の技術】
光ディスク装置は、ＣＤ−ＲＯＭ、ＣＤ−Ｒ、ＣＤ−ＲＷ、ＤＶＤ−ＲＯＭ、ＤＶＤ−ＲＡＭなどの光ディスクからデータを読み取り、外部の接続機器（以下、ホストと称す）へデータを転送する装置である。この光ディスク装置は、異なるタイプのホストに合わせて各々異なる動作をするように個別にカスタマイズされたファームウェアを搭載している。光ディスク装置は、パーソナルコンピュータ（以下、ＰＣと称す）に搭載又は接続される場合、ＰＣ用にカスタマイズされたファームウェアを搭載し、またオーディオ再生機器に搭載される場合はオーディオ再生機器用にカスタマイズされたファームウェアを搭載している。近年では、このような光ディスク装置に別々に搭載されたファームウェアをホストからインターフェースを介して変更、更新する手法など提供されてきている。（例えば、特許文献１参照）。
【０００３】
【特許文献１】
特開平１１−１２０１１３号公報（第８−１３頁、第３図）
【０００４】
【発明が解決しようとする課題】
しかしながら、ファームウェアでは通常光ディスクのリード動作などの基本的な動作に関してはカスタマイズされないため、上記特許文献１では、例えば、異なるホスト用のファームウェアを搭載した光ディスク装置を別のホストに接続させて動作させる、すなわち、オーディオ再生機器用のファームウェアを搭載した光ディスク装置をＰＣに接続させて動作させる、といったことは考慮されていない。
【０００５】
そのため、オーディオ再生機器用のファームウェアを搭載した光ディスク装置をＰＣに接続させて動作させた場合、光ディスク装置側で接続されているホストの情報（どのホストと接続されているか）の取得を行うといったことも当然考慮されていない。
【０００６】
つまり、従来の光ディスク装置では、光ディスク装置側でホストの情報の取得を行っていなかったため、オーディオ再生機器などの固有のホスト限定で動作させたい特殊な機能を有するファームウェアを搭載した光ディスク装置が、他のホスト（例えば、ＰＣ）に接続されたときに上記特殊な機能を動作不可とする機能、というものを有していなかった。
【０００７】
また、従来の光ディスク装置では異なるタイプのホストに合わせて個別のファームウェアを用意する必要があり、同一のファームウェアでホストのタイプに合わせて動作を切り替えるようなものはなかった。
【０００８】
本発明はこのような課題を解決するためのもので、ホストの情報を取得し、ホストの判別を行うことにより、ファームウェアの各機能の動作の可否決定を処理する光ディスク装置及び接続機器判別方法を実現することを目的とする。
【０００９】
【課題を解決するための手段】
この発明は、上記の目的を達成するために、インターフェースを介してホスト機器に接続され、ディスクを記録再生する光ディスク装置において、特定のホスト機器から、この特定のホスト機器を示す信号を受信する受信手段と、この受信手段によって受信された前記信号に基づいて、接続された前記ホスト機器が前記特定のホスト機器であると認識する認識手段と、この認識手段によって前記特定のホスト機器であると認識された場合、この特定のホスト機器のみに対応するリード処理を実行可能とする制御手段とを具備することを特徴とする。
【００１０】
上記の構成により、ホスト機器の判別を行うことにより、異なるホスト機器では動作不可とすることができ、不当な光ディスク装置の乗せ替えを防ぐことが可能となる。また、ホスト機器の判別を行うことにより、ホスト毎にカスタマイズされたファームウェアではなく、１つのファームウェアにて異なるホスト機器に対応した動作をすることが可能となり、誤ったホスト機器に接続しないよう管理する手間を省くことができる。
【００１１】
【発明の実施の形態】
以下、本発明を実施する場合の形態について図面に基づき説明する。
図１は、ＰＣ（パーソナルコンピュータ）と接続された光ディスク装置を示すブロック構成図であり、図２はオーディオ再生機器と接続された光ディスク装置を示すブロック構成図である。
【００１２】
図１において、ホストＰＣ１にＩＤＥ（ＡＴＡ）バス５を介して、データを保存しておくことが可能なハードディスクドライブ２（以下、ＨＤＤと称す）と、ＰＣ用にカスタマイズされたファームウェアを搭載した光ディスク装置３が接続されている。また、スピーカ４はオーディオケーブル６を介してホストＰＣ１に接続されている。このように接続された状態をここではホストＰＣシステムと呼ぶ。図２において、オーディオ再生機器７にＩＤＥバス１０を介して、オーディスク再生機器専用のファームウェアを搭載した光ディスク装置８が接続されている。また、スピーカ９はオーディオケーブル１１を介してオーディオ再生機器７に接続されている。このような接続状態をここではオーディオ再生機器システムと呼ぶ。
【００１３】
次に、ホストに接続された光ディスク装置３（８）の基本的な構成について図３を用いて説明する。
図３に示すように、ホスト１２（ホストＰＣ１やオーディオ再生機器７を示す）は、光ディスク装置との接続を行うためのインターフェース１３を有し、このインターフェース１３を介して光ディスク装置３（８）のインターフェース２２に接続されている。
【００１４】
ホスト１２は、インターフェースを通じて光ディスク装置３（８）にコマンドを送り、光ディスク装置３（８）はそのコマンドに応答して、インターフェースを介してホスト１２にデータを転送したり、データを受け取って光ディスクに書き込みを行ったりする。
【００１５】
光ディスク装置３（８）は、ディスクモータ３１により光ディスク３２を回転駆動することができる。光ディスク３２には、光ピックアップ３３からのレーザ光が照射され、光学的な情報の読取り、あるいは情報の書き込みが行われる。光ピックアップ３３で読み取られた信号は、信号増幅回路３４に導かれ、信号増幅され、その結果の信号は、信号処理回路３５に入力される。信号処理回路３５においては、再生信号に対する復調処理や分離処理、などが行われる。またデータ信号を処理するためのクロック再生なども行われる。
【００１６】
信号処理回路３５においては、更に、フォーカスエラー信号、トラッキングエラー信号、モータドライブ信号などが生成される。モータドライブ信号は、モータドライブ回路３６に供給され、ディスクモータ３１を回転駆動する。またフォーカスエラー信号、トラッキングエラー信号は、ピックアップドライブ回路３７に入力され、このピックアップドライブ回路３７からの制御信号で、フォーカス制御、トラッキング制御が行われる。
【００１７】
信号処理回路３５で再生されたデータは、インターフェース制御回路３８を介してホストインターフェース２２に送られる。３９は、制御用ＣＰＵであり光ディスク装置３（８）全体の制御を行っている。
【００１８】
ところで、図１の構成にて、ＣＤＤＡ（コンパクトディスクデジタルオーディオ）に記録されたオーディオデジタルデータを光ディスク装置３より読み出し、読み出したデータをそのまま、或いはホストＰＣ１にて圧縮されたオーディオデジタルデータ（ＭＰ３等）に変換した上で、ＨＤＤ２にデータを保存する、ということが可能であり、このオーディオデジタルデータの保存を行うことを一般的にリッピングと呼ぶ。このリッピング行為は、レンタルしてきたＣＤＤＡからオーディオデジタルデータを不当に保存しておくことが可能であるため、音楽を配給している企業は非常に不利益を被っている。
【００１９】
このオーディオデジタルデータのリッピング行為の防止、すなわち、著作権の保護を目的として、ＣＤＤＡのみ再生可能な（高機能な光ディスク装置を搭載していない）オーディオ再生機器７ではアクセス（曲の頭出し）ができるが、主にＰＣに搭載される多種類（例えばＣＤ−ＲＯＭ、ＤＶＤ−ＲＯＭなど）の光ディスクに対応している高機能な光ディスク装置ではアクセスが正常に行えないように意図して作成された規格違反のＣＤＤＡが販売されている。しかし、これらリッピング対策を施したＣＤＤＡは、搭載するファームウェアを規格違反のＣＤＤＡを許容できるように変更することで高機能な光ディスク装置でもアクセス可能になり、データの読込みが可能となる。
【００２０】
このため、図１に示したリッピング可能なホストＰＣ１に接続される光ディスク装置３には従来通りアクセスができないファームウェアを搭載させ、図２に示す再生専用のオーディオ再生機器７に接続される光ディスク装置８には、リッピング対策ＣＤＤＡを読取り可能なようにカスタマイズされたファームウェアを搭載することにより、リッピング対策ＣＤＤＡの作成意図である著作権の保護をすることが可能となる。
【００２１】
しかしながら、従来の光ディスク装置では、光ディスク装置の接続先、ホストの判別を行っていないため、オーディオ再生機器７に接続されたリッピング対策ＣＤＤＡの読取り可能な光ディスク装置８を取り外し、ホストＰＣ１に接続させることによりオーディオデジタルデータのリッピングを行おうとする、悪意を持ったユーザに対し保護する手段を持っていない。
【００２２】
そこで、本発明では悪意を持ったユーザに対しオーディオデジタルデータを保護する手段として、ホスト判別処理を実行するファームウェアを光ディスク装置に搭載させる。オーディオ再生機器システムの電源投入時に、ホストとなるオーディオ再生機器７より、オーディオ再生機器７に接続されていることを示す信号を自ら発行し、それを光ディスク装置で受信することによりホストの判別処理を行う。
【００２３】
以下に、電源投入後の光ディスク装置のホスト判別処理について図４、図５のフローチャートを用いて説明する。図４は、ホスト（オーディオ再生機器）側の処理フローで、図５は光ディスク装置側の処理フローである。
【００２４】
例えば、光ディスク装置がオーディオ再生機器７に接続された状態（図２のような状態）であったとする。図４では、このような状態で、オーディオ再生機器システムに電源が投入（光ディスク装置側にも電源が供給）されると（ステップＳＡ１）、オーディオ再生機器７がオーディオ再生機器７に接続されていることを示す信号を光ディスク装置８に対し発行し（ステップＳＡ３）、処理終了となる。光ディスク装置側では図５に示すように、オーディオ再生機器システムに電源が投入されると（ステップＳＢ１）、光ディスク装置８がオーディオ再生機器７と接続されていることを示す信号を受信したか否かを判別する（ステップＳＢ３）。そして、上記信号を受信した場合（ステップＳＢ３のＹ）、制御用ＣＰＵ３９内の図示せぬメモリにオーディオ再生機器フラグを立て、オーディオ再生機器７と接続されていることを判別する（ステップＳＡ５）。一方、電源投入後、光ディスク装置８がホストから接続されていることを示す信号を受信しなかった場合（ステップＳＢ３のＮ）、光ディスク装置８はここではホストＰＣ１と接続されていると判別する。ホストＰＣ１から光ディスク装置に対しホストＰＣ１と接続されていることを示す信号は発行しないため、光ディスク装置はオーディオ再生機器７と接続されているのか、或いは他のホストと接続されているのかを判別することができる。
【００２５】
図６は、ホスト判別処理を行う光ディスク装置に光ディスクが挿入された後の処理を示すフローチャートである。
光ディスク装置に光ディスク３２が挿入されると（ステップＳＣ１）、挿入された光ディスク３２の判別処理を実行する。具体的には、光ディスク３２の最内周にあるＴＯＣ（Ｔａｂｌｅ　Ｏｆ　Ｃｏｎｔｅｎｔ）データ或いはコントロールデータを参照して、光ディスク３２がＣＤであるのか、又はＤＶＤであるのかを判別する（ステップＳＣ３）。この処理でＣＤであると判別した場合（ステップＳＣ３のＹ）、次に、光ディスク装置の制御用ＣＰＵ３９はフラグが立っているか判断する。フラグが立っていた場合（ステップＳＣ５のＹ）、制御用ＣＰＵ３９はオーディオ再生機器７と接続されていることを認識する。オーディオ再生機器７と認識されると、このＣＤがリッピング対策用のディスクか否かを判別する（ステップＳＣ７）。そして、リッピング対策用のＣＤであると判別した場合（ステップＳＣ７のＹ）、残りのディスク処理を行い（ステップＳＣ９）、光ディスク装置はホスト（オーディオ再生機器７）からリードコマンドがくるのを待機する。なお、リッピング対策用のディスクか否かを判別する場合は上記ＴＯＣデータを参照すれば判別できる。ホストからリードコマンドがくると、このリードコマンドを受信し（ステップＳＣ１１）、リッピング対策用のリード処理を実行する（ステップＳＣ１３）。すなわち、リッピング対策が施されたＣＤであってもリード処理が行えるようになる。
【００２６】
一方、ステップＳＣ３の処理で、ＤＶＤであることを判別した場合（ステップＳＣ３のＮ）、ステップＳＣ１５の処理へ進む。また、ステップＳＣ５の処理で制御用ＣＰＵ３９はフラグが立っていないことを判別した場合（ステップＳＣ５のＮ）、制御用ＣＰＵ３９はオーディオ再生機器７以外のホスト、例えばホストＰＣ１と接続されていることを認識する。そして、リッピング対策用ディスクの判別処理（ステップＳＣ７）は行わず、挿入された光ディスク３２のディスク判別を行う（ステップＳＣ１５）。ステップＳＣ９及びＳＣ１５での処理は、その後のリード動作で必要なディスク情報を確認するために行う。なお、ステップＳＣ７の処理で、ディスクはＣＤであるがリッピング対策用のディスクではないと判別した場合（ステップＢＣ７のＮ）もステップＳＣ１５へ進んで、ディスク判別を行う。
【００２７】
そして、光ディスク装置はホスト（ホストＰＣ１）からリードコマンドがくるまで待機し、ホストＰＣ１からリードコマンドがくると、このリードコマンドを受信する（ステップＳＣ１７）。リードコマンドを受信すると、光ディスク装置は通常のリード処理を実行する（ステップＳＣ１９）。すなわち、ディスクがＤＶＤであったり（通常、リッピング対策を施したディスクはＣＤであるため、ＤＶＤであれば通常のリード処理を行う）、ＣＤであってもリッピング対策用のディスクではなかったりした場合通常のリード処理を行う。しかし、ここではリッピング対策用のディスク（例えばＣＤＤＡ）であればアクセスできないようになっている。
【００２８】
上記した実施の形態によれば、ホストの情報を取得、ホストの判別を行うことにより、ファームウェアの各機能の動作の可否決定処理を有し、これにより同じファームウェアを搭載した光ディスク装置で、接続先が異なるタイプのホスト毎に異なる動作をさせることができる。これにより、悪意を持ったユーザに対しオーディオデジタルデータを保護することができる。
【００２９】
次に、本発明の第２の実施形態を図７乃至図１０に基づいて説明する。
図７は代表的なデスクトップＰＣのブロック図を示す。ホストＰＣ（デスクトップＰＣ）４１は大容量電源４３を搭載し、ＩＤＥ（ＡＴＡ）バス４５を介して、デスクトップＰＣ用にカスタマイズされたファームウェアを搭載した光ディスク装置４７が接続されている。図８は代表的なノートＰＣのブロック図を示す。ホストＰＣ（ノートＰＣ）５１はバッテリー５３を搭載し、ＩＤＥ（ＡＴＡ）バス５５を介してノートＰＣ用にカスタマイズされたファームウェアを搭載した光ディスク装置５７が接続されている。
【００３０】
ノートＰＣ５１では、容量の決まったバッテリー５３を搭載しており、また小型のため光ディスク装置５７の動作振動に弱い構造となっているために、通常光ディスク装置５７には低速でリード動作を行うファームウェアを搭載する。これに対し、デスクトップＰＣ４１は電源が大容量であり、また据え置き型のため光ディスク装置４７の動作振動は問題とならないため、光ディスク装置４７に高速でリード動作を行うファームウェアを搭載する。従来の光ディスク装置では、デスクトップＰＣ４１及びノートＰＣ５１の情報を取得する処理を搭載していないため、光ディスク装置４７、５７には個別のファームウェアを用意する必要があり、また、誤ったホストに接続しないように管理する必要があった。
【００３１】
そこで、本発明の図９及び図１０にあるようなホスト判別処理を有するファームウェアを光ディスク装置に搭載することにより、上記光ディスク装置４７、５７のファームウェアを同一のものを使用することが可能となる。
【００３２】
以下に、第２の実施形態における光ディスク装置の電源を投入した後の処理フローを図９に示し、ホストよりリードコマンドを受信した後の処理フローを図１０に示す。
【００３３】
例えば、光ディスク装置４７がデスクトップＰＣ４１に接続された状態（図７のような状態）であったとする。図９では、このような状態において、デスクトップＰＣ４１に電源が投入されると（ステップＳＤ１）、光ディスク装置４７はホスト（デスクトップＰＣ４１）よりデスクトップＰＣ４１を示す信号を受信したか否かを判断する（ステップＳＤ３）。デスクトップＰＣ４１を示す信号を受信したと判断した場合（ステップＳＤ３のＹ）、制御用ＣＰＵ３９は図示しないメモリにデスクトップＰＣフラグを立て（ステップＳＤ５）、受信してないと判断した場合（ステップＳＤ３のＮ）、上記メモリにノートＰＣフラグを立てる（ステップＳＤ７）。
【００３４】
図１０において、光ディスク装置４７はホスト（デスクトップＰＣ４１）からリードコマンドを受信すると（ステップＳＥ１）、制御用ＣＰＵ３９はメモリにデスクトップＰＣフラグが立っているか否か判断する（ステップＳＥ３）。デスクトップＰＣフラグが立っていると判断した場合（ステップＳＥ３のＹ）、制御用ＣＰＵ３９はモータドライブ回路３６に対し、高速回転するよう制御して高速でリード動作を行う（ステップＳＥ５）。一方、制御用ＣＰＵ３９はメモリにデスクトップＰＣフラグが立っていないと判断した場合（ステップＳＥ３のＮ）、モータドライブ回路３６に対し低速回転するよう制御して低速でリード動作を行う（ステップＳＥ７）。
【００３５】
これにより、ファームウェアを別々に用意する手間を省くことが可能となり、また、デスクトップＰＣ用のファームウェア搭載の光ディスク装置４７をノートＰＣ５１に誤って搭載しないよう管理する、という手間を省くことができる。
【００３６】
なお、本発明は、上記実施形態に限定されるものではなく、実施段階では、その要旨を逸脱しない範囲で種々に変形することが可能である。例えば、光ディスク装置のみならず、ＰＣの周辺機器への展開も可能である。ＨＤＤへの展開を例に挙げると、ＨＤＤレコーダに搭載されるＨＤＤを、ＨＤＤレコーダから取り外しＰＣに接続して違法コピーを行うことを防止する、等といった運用も可能である。
【００３７】
【発明の効果】
以上のように、光ディスク装置において、ホスト機器の判別を行う機能を付加したことにより、異なるホスト機器では動作不可とする機能を有することで、不当な光ディスク装置の乗せ替えを防ぐことができる。
【００３８】
また、ホスト毎にカスタマイズされたファームウェアではなく、１つのファームウェアにて異なるホスト機器に対応した動作をすることができる。これにより、光ディスク装置をホスト機器に誤って接続しないよう管理するという手間を省くことができる。
【図面の簡単な説明】
【図１】ＰＣ（パーソナルコンピュータ）と接続された光ディスク装置を示すブロック構成図である。
【図２】オーディオ再生機器と接続された光ディスク装置を示すブロック構成図である。
【図３】ホストに接続された光ディスク装置の基本的なブロック構成である。
【図４】電源投入後の光ディスク装置のホスト判別処理についてのホスト（オーディオ再生機器）側の処理フローある。
【図５】電源投入後の光ディスク装置のホスト判別処理についての光ディスク装置側の処理フローである。
【図６】ホスト判別処理を行う光ディスク装置に光ディスクが挿入された後の処理を示すフローチャートである。
【図７】代表的なデスクトップＰＣのブロック図である。
【図８】代表的なノートＰＣのブロック図である。
【図９】光ディスク装置の電源を投入した後の処理を示すフローチャートである。
【図１０】ホストよりリードコマンドを受信した後の処理を示すフローチャートである。
【符号の説明】
１　　ホストＰＣ
２　　ＨＤＤ
３、８、４７、５７　　光ディスク装置
１２　　ホスト
１３　　Ｉ／Ｆ
２２　　ホストＩ／Ｆ
３１　　モータ
３３　　ピックアップ
３４　　信号増幅器
３５　　信号処理回路
３６　　モータドライブ回路
３７　　ピックアップドライブ回路
３８　　インターフェース制御回路
３９　　制御用ＣＰＵ
【図１】
2004133977.tif 000003
【図２】
2004133977.tif 000004
【図３】
2004133977.tif 000005
【図４】
2004133977.tif 000006
【図５】
2004133977.tif 000007
【図６】
2004133977.tif 000008
【図７】
2004133977.tif 000009
【図８】
2004133977.tif 000010
【図９】
2004133977.tif 000011
【図１０】
2004133977.tif 000012